【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
物体のカプセル化またはコーティングのための方法であって、前記物体を２つ以上の化学的に異なる環状エステル・オリゴマーの溶融混合物と接触させる工程と、前記溶融混合物を共重合させて前記物体をカプセル化するまたはコーティングするコポリエステルを形成する工程とを含むことを特徴とする方法。
【請求項２】
前記化学的に異なる環状エステル・オリゴマーの少なくとも１つが
（ａ）式ＨＯＣＨ２（ＣＲ３Ｒ４）ｑＣＨ２ＯＨまたはＨＯ（ＣＨ２ＣＨ２Ｏ）ｔＨ（式中、Ｒ３およびＲ４はそれぞれ独立して水素またはアルキルであり、かつ、ｑは０もしくは１〜１０の整数であり、またはｔは２〜２０の整数である）のジオール、ヒドロキノン、およびビスフェノール−Ａ、ならびにそれらの組合せよりなる群から選択されるジオール成分と、
（ｂ）式ＨＯ２Ｃ（ＣＨ２）ｎＣＯ２Ｈ（式中、ｎは１〜１０の整数である）の化合物、イソフタル酸、置換イソフタル酸、テレフタル酸、置換テレフタル酸、および２，６−ナフタレンジカルボン酸、ならびにそれらの組合せよりなる群から選択されるジカルボン酸成分と
から誘導されることを特徴とする請求項１に記載の方法。
【請求項３】
前記化学的に異なる環状エステル・オリゴマーの少なくとも１つが
テレフタル酸と、ジエチレングリコール、エチレングリコール、１，３−プロパンジオール、１，４−ブタンジオール、１，５−ペンタンジオール、および１，６−ヘキサンジオールもしくはそれらの混合物との組合せ、
イソフタル酸と、ジエチレングリコール、エチレングリコール、１，３−プロパンジオール、１，４−ブタンジオール、１，５−ペンタンジオール、および１，６−ヘキサンジオールもしくはそれらの混合物との組合せ、または
コハク酸およびアジピン酸の１つもしくは両方と、式ＨＯＣＨ２（ＣＲ３Ｒ４）ｎＣＨ２ＯＨ（式中、Ｒ３およびＲ４は水素または１〜４個の炭素原子を含むアルキルであり、かつ、ｎは０または１〜１０の整数である）の１つもしくは複数の化合物との組合せ
から誘導されることを特徴とする請求項１に記載の方法。
【請求項４】
２つの異なる環状エステル・オリゴマーが存在し、かつ、第１の環状エステル・オリゴマーがテレフタル酸とジエチレングリコールとから誘導され、第２の環状エステル・オリゴマーがテレフタル酸と１，４−ブタンジオールとから誘導されることを特徴とする請求項２に記載の方法。
【請求項５】
請求項１から４のいずれか一項に記載の方法を用いてカプセル化された物体を含むことを特徴とする製品。
【手続補正２】
【補正対象書類名】明細書
【補正対象項目名】００３９
【補正方法】変更
【補正の内容】
【００３９】
実施例において、ＣＰＥＯＴは（非特許文献３）に記載されているように得られ、ＣＰＢＴは米国ニューヨーク州スケネクタディのサイクリックス社（Ｃｙｃｌｉｃｓ  Ｃｏｒｐ．，Ｓｃｈｅｎｅｃｔａｄｙ，ＮＹ，Ｕ．Ｓ．Ａ．）から入手され、精製された。ＣＰＥＯＴはテレフタル酸とジエチレングリコールとの環状エステル二量体（分子当たり２分子のテレフタル酸およびエチレングリコール）であり、ＣＰＢＴはテレフタル酸と１，４−ブタンジオールとの環状エステル二量体および三量体の混合物である。ＣＰＥＯＴに対する系統名は３，６，９，１６，１９，２２−ヘキサオキサトリシクロ［２２．２．２．２１１，１４］トリアコンタ−１１，１３，２４，２６，２７，２９−ヘキサエン−２，１０，１５，２３−テトラオンであり、ＣＰＢＴに対する系統名は３，８，１５，２０−テトラオキサトリシクロ［２０．２．２．２１０，１３］オクタコサ−１０，１２，２２，２４，２５，２７−ヘキサエン−２，９，１４，２１−テトラオン−３，８，１５，２０，２７，３２−ヘキサオキサテトラシクロ［３２．２．２．２１０，１３．２２２，２５］ドテトラコンタ−１０，１２，２２，２４，３４，３６，３７，３９，４１−ノナエン−２，９，１４，２１，２６，３３−ヘキサオンである。
以下に、本発明の好ましい態様を示す。
１．  物体のカプセル化またはコーティングのための方法であって、前記物体を２つ以上の化学的に異なる環状エステル・オリゴマーの溶融混合物と接触させる工程と、前記溶融混合物を共重合させて前記物体をカプセル化するまたはコーティングするコポリエステルを形成する工程とを含むことを特徴とする方法。
２．  環状エステル・オリゴマーのそれぞれの分子内の繰り返し単位が同一であることを特徴とする１．に記載の方法。
３．  前記化学的に異なる環状エステル・オリゴマーの少なくとも１つが
（ａ）式ＨＯＣＨ２（ＣＲ３Ｒ４）ｑＣＨ２ＯＨまたはＨＯ（ＣＨ２ＣＨ２Ｏ）ｔＨ（式中、Ｒ３およびＲ４はそれぞれ独立して水素またはアルキルであり、かつ、ｑは０もしくは１〜１０の整数であり、またはｔは２〜２０の整数である）のジオール、ヒドロキノン、およびビスフェノール−Ａ、ならびにそれらの組合せよりなる群から選択されるジオール成分と、
（ｂ）式ＨＯ２Ｃ（ＣＨ２）ｎＣＯ２Ｈ（式中、ｎは１〜１０の整数である）の化合物、イソフタル酸、置換イソフタル酸、テレフタル酸、置換テレフタル酸、および２，６−ナフタレンジカルボン酸、ならびにそれらの組合せよりなる群から選択されるジカルボン酸成分と
から誘導されることを特徴とする１．または２．に記載の方法。
４．  前記化学的に異なる環状エステル・オリゴマーの少なくとも１つが
テレフタル酸と、ジエチレングリコール、エチレングリコール、１，３−プロパンジオール、１，４−ブタンジオール、１，５−ペンタンジオール、および１，６−ヘキサンジオールもしくはそれらの混合物との組合せ、
イソフタル酸と、ジエチレングリコール、エチレングリコール、１，３−プロパンジオール、１，４−ブタンジオール、１，５−ペンタンジオール、および１，６−ヘキサンジオールもしくはそれらの混合物との組合せ、または
コハク酸およびアジピン酸の１つもしくは両方と、式ＨＯＣＨ２（ＣＲ３Ｒ４）ｎＣＨ２ＯＨ（式中、Ｒ３およびＲ４は水素または１〜４個の炭素原子を含むアルキルであり、かつ、ｎは０または１〜１０の整数である）の１つもしくは複数の化合物との組合せ
から誘導されることを特徴とする１．または２．に記載の方法。
５．  ２つの異なる環状エステル・オリゴマーが存在し、かつ、第１の環状エステル・オリゴマーがテレフタル酸とジエチレングリコールとから誘導され、第２の環状エステル・オリゴマーがテレフタル酸と１，４−ブタンジオールとから誘導されることを特徴とする３．に記載の方法。
６．  前記コポリエステルが約１００℃〜約２００℃の融点および約５Ｊ／ｇ〜約５０Ｊ／ｇの融解熱を有することを特徴とする１．〜５．のいずれか一項に記載の方法。
７．  前記物体がカプセル化されることを特徴とする１．〜７．のいずれか一項に記載の方法。
８．  １．〜７．のいずれか一項に記載の方法を用いてカプセル化された物体を含むことを特徴とする製品。
９．  １．〜６．のいずれか一項に記載の方法を用いてコーティングされた物体を含むことを特徴とする製品。
１０．  ０．２０〜０．８５のランダム度を有するコポリエステルでコーティングまたはカプセル化された物体を含むことを特徴とする製品。
１１．  前記ランダム度が０．３０〜０．８０であることを特徴とする１０．に記載の製品。
１２．  単一繰り返し単位がすべての繰り返し単位ブロックの５モルパーセント未満であることを特徴とする１０．または１１．に記載の製品。
１３．  単一繰り返しブロックが存在しないコポリエステルでコーティングまたはカプセル化された物体を含むことを特徴とする製品。
１４．  前記物体がカプセル化されていることを特徴とする１０．〜１３．のいずれか一項に記載の製品。
１５．  前記コポリエステルが約１００℃〜約２００℃の融点および約５Ｊ／ｇ〜約５０Ｊ／ｇの融解熱を有することを特徴とする１０．〜１４．のいずれか一項に記載の製品。